(57)【特許請求の範囲】
【請求項１】
歯科医用画像情報の診断を支援する医用画像診断支援装置において、
医用画像撮影装置によって、前記歯科医用画像情報を取得する歯科医用画像情報取得手段と、
前記歯科医用画像情報に含まれる歯牙の位置を示す歯牙位置情報を取得する歯牙位置情報取得手段と、
前記取得された歯科医用画像情報及び歯牙位置情報を表示する表示手段と、
前記表示された歯科医用画像情報及び歯牙位置情報において座標位置を設定する座標位置設定手段と、
前記歯牙位置情報の座標位置に基づいて、前記設定された座標位置に対応する歯牙を検出して選択状態にする選択手段と、
前記選択手段によって選択状態にされた歯牙の部位を示す部位情報を取得する部位情報取得手段と、
前記取得された部位情報を前記歯科医用画像情報に関する電子カルテ情報に反映して前記電子カルテ情報を表示する電子カルテ表示手段と、
を具備することを特徴とする医用画像診断支援装置。
【請求項２】
前記歯牙位置情報取得手段によって取得された複数の歯牙の位置に、前記歯牙毎の範囲を示す歯牙枠を作成する歯牙枠作成手段を具備することを特徴とする請求項１に記載の医用画像診断支援装置。
【請求項３】
前記座標位置設定手段は、指定された１点の座標位置を設定し、前記選択手段は、前記設定された１点の座標位置に対応する１つの歯牙の選択状態を変更することを特徴とする請求項１または請求項２に記載の医用画像診断支援装置。
【請求項４】
前記座標位置設定手段は、指定された開始点と終了点との間の線上の座標位置を設定し、前記選択手段は、前記設定された開始点と終了点との間の線上の座標位置に対応する１つまたは複数の歯牙の選択状態を変更することを特徴とする請求項１から請求項３までのいずれかに記載の医用画像診断支援装置。
【請求項５】
前記座標位置設定手段は、指定された開始点と終了点とで範囲指定された領域内の座標位置を設定し、前記選択手段は、前記設定された開始点と終了点とで範囲指定された領域内の座標位置に対応する１つまたは複数の歯牙の選択状態を変更することを特徴とする請求項１から請求項４までのいずれかに記載の医用画像診断支援装置。
【請求項６】
前記選択手段によって選択状態にされた歯牙に関する歯牙情報を前記歯科医用画像情報上において直接入力する歯牙情報入力手段を具備することを特徴とする請求項１から請求項５までのいずれかに記載の医用画像診断支援装置。
【請求項７】
前記部位情報取得手段は、前記選択状態にされた歯牙の歯番及び歯式を前記部位情報として取得し、
前記電子カルテ表示手段は、前記部位情報として取得された歯番及び歯式を前記電子カルテ情報に反映して表示することを特徴とする請求項１から請求項６までのいずれかに記載の医用画像診断支援装置。
【請求項８】
医用画像撮影装置によって、歯科医用画像情報を取得する歯科医用画像情報取得ステップと、
前記歯科医用画像情報に含まれる歯牙の位置を示す歯牙位置情報を取得する歯牙位置情報取得ステップと、
前記取得された歯科医用画像情報及び歯牙位置情報を表示する表示ステップと、
前記表示された歯科医用画像情報及び歯牙位置情報において座標位置を設定する座標位置設定ステップと、
前記歯牙位置情報の座標位置に基づいて、前記設定された座標位置に対応する歯牙を検出して選択状態にする選択ステップと、
前記選択ステップで選択状態にされた歯牙の部位を示す部位情報を取得する部位情報取得ステップと、
前記取得された部位情報を前記歯科医用画像情報に関する電子カルテ情報に反映して前記電子カルテ情報を表示する電子カルテ表示ステップと、
をコンピュータに実行させるための医用画像診断支援プログラム。
【請求項９】
前記歯牙位置情報取得ステップで取得された複数の歯牙の位置に、前記歯牙毎の範囲を示す歯牙枠を作成する歯牙枠作成ステップをさらに含むことを特徴とする請求項８に記載の医用画像診断支援プログラム。
【発明の詳細な説明】
【技術分野】
【０００１】
本発明は、レントゲン画像撮影装置、Ｘ線ＣＴ装置、ＭＲＩ装置、超音波診断装置等の医用画像撮影装置によって取得された医用画像を表示して診断支援を行う医用画像診断支援装置に関する。詳細には、歯科医用画像情報の診断を支援する医用画像診断支援装置に関する。
【背景技術】
【０００２】
一般に、医用画像診断支援装置は、上記医用画像撮影装置から医用画像情報を取得し、この医用画像情報に対して画像処理を行って診断画像を表示する。
また、歯科医用画像情報に関しては、患者コードに基づいて画像データベースから患者の歯科医用画像情報を検索し、カルテ入力画面とは別画面で歯科医用画像画面を表示し、歯科医用画像画面を参照しながらカルテ入力画面に入力操作を行うカルテ作成装置が提案されている（例えば、［特許文献１］参照。）。
【特許文献１】特開２００５−１９６６６０号公報
【発明の開示】
【発明が解決しようとする課題】
【０００３】
しかしながら、従来のカルテ作成装置では、カルテ入力画面と歯科医用画像画面とは別々に表示され、カルテ入力画面における入力操作では目線の移動が発生し、入力ミスや操作ミスを誘発するおそれがあるという未解決の問題がある。
【０００４】
本発明は、以上の未解決の問題に鑑みてなされたものであり、カルテ入力における操作性及び正確性を向上させることができる医用画像診断支援装置を提供することを目的とする。
【課題を解決するための手段】
【０００５】
前述した目的を達成するための第１の発明は、歯科医用画像情報の診断を支援する医用画像診断支援装置において、医用画像撮影装置によって、前記歯科医用画像情報を取得する歯科医用画像情報取得手段と、前記歯科医用画像情報に含まれる歯牙の位置を示す歯牙位置情報を取得する歯牙位置情報取得手段と、前記取得された歯科医用画像情報及び歯牙位置情報を表示する表示手段と、前記表示された歯科医用画像情報及び歯牙位置情報において座標位置を設定する座標位置設定手段と、前記歯牙位置情報の座標位置に基づいて、前記設定された座標位置に対応する歯牙を検出して選択状態にする選択手段と、前記選択手段によって選択状態にされた歯牙の部位を示す部位情報を取得する部位情報取得手段と、前記取得された部位情報を前記歯科医用画像情報に関する電子カルテ情報に反映して前記電子カルテ情報を表示する電子カルテ表示手段と、を具備することを特徴とする医用画像診断支援装置である。
【０００６】
第１の発明の医用画像診断支援装置は、歯科医用画像情報を取得し、歯科医用画像情報に含まれる歯牙の位置を示す歯牙位置情報を取得し、歯科医用画像情報及び歯牙位置情報を表示し、表示された歯科医用画像情報及び歯牙位置情報において座標位置を設定し、歯牙位置情報の座標位置に基づいて、設定された座標位置に対応する歯牙を検出して選択状態あるいは選択解除状態にし、選択状態にされた歯牙の部位を示す歯番や歯式等の部位情報を取得し、この部位情報を歯科医用画像情報に関する電子カルテ情報に反映して電子カルテ情報を表示する。
【０００７】
第１の発明の医用画像診断支援装置は、歯科医用画像情報上で直接、歯牙の選択及び歯牙情報入力を行うことができる。また、歯牙の選択及び歯牙情報入力の際に、歯科医用画像情報から目線が離れることがないので、カルテ入力における操作性及び正確性を向上させることができる。
【０００８】
座標位置の設定及び歯牙の選択については、指定された１点の座標位置を設定し、設定された１点の座標位置に対応する１つの歯牙の選択状態を変更してもよい。また、指定された開始点と終了点との間の線上の座標位置を設定し、設定された開始点と終了点との間の線上の座標位置に対応する１つまたは複数の歯牙の選択状態を変更してもよい。また、指定された開始点と終了点とで範囲指定された領域内の座標位置を設定し、設定された開始点と終了点とで範囲指定された領域内の座標位置に対応する１つまたは複数の歯牙の選択状態を変更してもよい。
【０００９】
また、選択状態にされた歯牙に関する歯牙情報を歯科医用画像情報上において直接入力するようにしてもよい。例えば、選択状態の歯牙の歯牙情報設定メニューを当該歯牙の画像上に表示してもよい。これにより、歯牙情報入力に係る操作性及び正確性を向上させることができる。
【００１０】
第２の発明は、医用画像撮影装置によって、歯科医用画像情報を取得する歯科医用画像情報取得ステップと、前記歯科医用画像情報に含まれる歯牙の位置を示す歯牙位置情報を取得する歯牙位置情報取得ステップと、前記取得された歯科医用画像情報及び歯牙位置情報を表示する表示ステップと、前記表示された歯科医用画像情報及び歯牙位置情報において座標位置を設定する座標位置設定ステップと、前記歯牙位置情報の座標位置に基づいて、前記設定された座標位置に対応する歯牙を検出して選択状態にする選択ステップと、前記選択ステップで選択状態にされた歯牙の部位を示す部位情報を取得する部位情報取得ステップと、前記取得された部位情報を前記歯科医用画像情報に関する電子カルテ情報に反映して前記電子カルテ情報を表示する電子カルテ表示ステップと、をコンピュータに実行させるための医用画像診断支援プログラムである。
【００１１】
上記の医用画像診断支援プログラムをネットワークを介して送受してもよいし、記録媒体に記録して流通させてもよい。
【発明の効果】
【００１２】
本発明によれば、カルテ入力における操作性及び正確性を向上させることができる医用画像診断支援装置を提供することができる。
【発明を実施するための最良の形態】
【００１３】
以下添付図面を参照しながら、本発明の好適な実施形態について詳細に説明する。尚、以下の説明及び添付図面において、同一の機能構成を有する構成要素については、同一の符号を付することにより重複説明を省略することにする。
以下の実施形態では、医用画像情報としてレントゲン画像若しくはＸ線ＣＴ画像を用いるものとして説明するがこれに限られない。医用画像情報としてＭＲＩ装置や超音波撮影装置により撮影された医用画像情報を用いてもよい。
【００１４】
（１．医用画像診断支援装置１の構成）
最初に、図１を参照しながら、医用画像診断支援装置１の構成について説明する。
図１は、医用画像診断支援装置１のハードウェア構成図である。
医用画像診断支援装置１は、ＣＰＵ１０、磁気ディスク１３、主メモリ１４、コントローラ１５に接続されたマウス１６やキーボード１７、表示メモリ１８、ディスプレイ１９、入力メモリ８、ペン型入力装置９を備える。医用画像診断支援装置１は、ＬＡＮ１２を介して医用画像撮影装置１１に接続される。
【００１５】
医用画像撮影装置１１は、被検体の断層画像等の医用画像を撮影する装置である。医用画像撮影装置１１は、例えば、Ｘ線ＣＴ装置やＭＲＩ装置や超音波撮影装置である。医用画像診断支援装置１は、被検体の医用画像を表示する。
【００１６】
ＣＰＵ１０は、接続される各構成要素の動作を制御する装置である。ＣＰＵ１０は、磁気ディスク１３に格納されるプログラムやプログラム実行に必要なデータを主メモリ１４にロードして実行する。磁気ディスク１３は、医用画像撮影装置１１により撮影された断層画像等の医用画像をＬＡＮ１２等のネットワークを介して取得して格納する装置である。また、磁気ディスク１３には、ＣＰＵ１０が実行するプログラムやプログラム実行に必要なデータが格納される。主メモリ１４は、ＣＰＵ１０が実行するプログラムや演算処理の途中経過を記憶するものである。マウス１６やキーボード１７やペン型入力装置９は、操作者が医用画像診断支援装置１に対して操作指示を行う操作デバイスである。入力メモリ８は、ペン型入力装置９によって指定された位置情報を保持するものである。表示メモリ１８は、液晶ディスプレイやＣＲＴなどのディスプレイ１９に表示するための表示データを格納するものである。
【００１７】
（２．歯牙位置情報の作成）
次に、図２〜図８を参照しながら、歯牙位置情報の作成について説明する。
医用画像診断支援装置１は、歯科医用画像情報に基づいて歯牙毎に位置を示す歯牙枠を歯科医用画像情報として作成する。
図２は、歯牙位置情報の作成における医用画像診断支援装置１の動作を示すフローチャートである。
【００１８】
（２−１．画像ファイル読込：ステップ１００１）
操作者は、マウス１６やキーボード１７を操作し、医用画像撮影装置１１によって撮影された歯科医用画像情報のうち、診断対象の歯科医用画像情報を選択する。医用画像診断支援装置１のＣＰＵ１０は、操作者によって選択された歯科医用画像情報を磁気ディスク１３から読み出して主メモリ１４に保持する（ステップ１００１）。尚、歯科医用画像情報は、ＪＰＥＧ形式やＢＩＴＭＡＰ形式の画像ファイルによって取り扱われる。
【００１９】
（２−２．画像解析領域決定：ステップ１００２）
図３は、画像解析領域決定の説明図である。
医用画像診断支援装置１のＣＰＵ１０は、主メモリ１４に保持された歯科医用画像情報２１から余白２２を取り除き、画像解析領域２３を決定する（ステップ１００２）。これにより、解析精度及び処理速度を向上させることができる。
【００２０】
（２−３．歯外枠決定：ステップ１００３）
図４は、歯端５５の算出を示す図である。
医用画像診断支援装置１のＣＰＵ１０は、画像解析領域２３の歯科医用画像情報２１である歯科医用画像情報４０に対してＹ方向にライン走査を行う。ＣＰＵ１０は、走査線５１及び走査線５３についてライン走査を行って、濃度分布５２及び濃度分布５４を測定する。濃度分布５２及び濃度分布５４の横軸は走査方向Ｙを示し、縦軸は濃度の標準偏差を示す。ＣＰＵ１０は、他の走査線についても同様に濃度分布を測定する。ＣＰＵ１０は、濃度分布５４のように濃度の標準偏差が急激に変化する位置を算出し、歯科医用画像情報４１において歯端５５（歯番７）の位置を決定する。
【００２１】
図５は、正中線５７の算出を示す図である。
医用画像診断支援装置１のＣＰＵ１０は、歯端５５の位置が決定された歯科医用画像情報４２において、両端の歯端５５を例えば１：１に内分する位置に正中線５７を設定する。ＣＰＵ１０は、歯端５５と正中線５７とを１：１に内分する位置に点５６を設定する。ＣＰＵ１０は、２つの歯端５５及び正中線５７及び２つの点５６の５点によって曲線５８の湾曲率を決定する。尚、湾曲率の算出に関しては、例えば、楕円を示す二次多項式が用いられる。ここでは、正中線５７の算出を例示したが、歯列を特定するための指標であれば正中線５７に限定されない。
【００２２】
図６は、歯外枠６０の決定を示す図である。
医用画像診断支援装置１のＣＰＵ１０は、曲線５９をＹ方向に平行移動させることにより、歯科医用画像情報４３において歯外枠６０を決定して主メモリ１４に保持する（ステップ１００３）。
【００２３】
（２−４．歯隙線決定：ステップ１００４）
図７は、歯隙線６２の決定を示す図である。
医用画像診断支援装置１のＣＰＵ１０は、歯科医用画像情報４４において正中線から両方の歯端に向かって、正中線から歯端への距離を１として標本化した比率で分割線を算出する。ＣＰＵ１０は、歯科医用画像情報４４において、歯端間の距離を例えば近似的に１：２：１に内分する位置で走査領域を分割する。これにより、歯牙列が湾曲していることに起因する露光不均一を改善することができる。ＣＰＵ１０は、歯科医用画像情報４４において曲線６１をＹ方向に移動させて走査して曲線６１上の濃度分布を測定する。ＣＰＵ１０は、歯科医用画像情報４５において、分割線のＸ方向両側の領域において測定された濃度分布に適合する位置に分割線の位置を移動させ、歯隙線６２を決定する（ステップ１００４）。これにより、歯牙が不均一に並んでいる場合についても歯隙線６２の位置を適正な位置に決定することができる。ＣＰＵ１０は、歯隙線６２に基づいて歯牙毎に位置を示す歯牙枠６３を決定する。
【００２４】
医用画像診断支援装置１のＣＰＵ１０は、歯端から口腔内の歯肉までの領域について走査を行って濃度分布を測定し、歯牙と隙間等の濃度差が顕著である位置を検出した場合には、当該位置に智歯の歯牙枠６４を決定する。ＣＰＵ１０は、走査した領域において歯牙が検出されない場合には、当該位置に歯牙枠６５を決定する。
【００２５】
（２−５．歯牙状態表示：ステップ１００５）
図８は、歯科医用画像情報のサイズ変換を示す図である。
医用画像診断支援装置１のＣＰＵ１０は、画像解析用サイズの歯科医用画像情報４６を表示用サイズの歯科医用画像情報４７に変換し、歯牙枠が直線状に並ぶように歯科医用画像情報４７を展開して歯科医用画像情報４８を作成する。歯科医用画像情報４７では、四角形の歯牙枠６６は湾曲状に配置されるが、歯科医用画像情報４８では長方形の歯牙枠６７に変換されて直線状に配置される。
ＣＰＵ１０は、歯科医用画像情報と歯牙枠とを重畳してディスプレイ１９に表示する。
【００２６】
（３．電子カルテ情報の部位入力）
次に、図９〜図２３を参照しながら、電子カルテ情報の部位入力について説明する。
図９は、電子カルテ情報の部位入力における医用画像診断支援装置１の動作を示すフローチャートである。
図１０は、電子カルテ情報の部位入力における医用画像診断支援装置１の動作の流れを示す図である。
医用画像診断支援装置１の磁気ディスク１３には、歯科医用画像情報４９及び歯牙位置情報５０及び歯牙情報９０及び電子カルテ情報１００が格納される。尚、これらの情報を磁気ディスク１３以外の記憶装置やデータベースシステムに格納してネットワークを介して取得するようにしてもよい。歯牙位置情報５０は、図２の処理によって作成された歯牙枠等の歯牙位置情報である。
【００２７】
（３−１．歯科医用画像情報及び歯牙枠の表示：ステップ２００１）
図１１は、ディスプレイ１９に表示される画面７０を示す図である。
医用画像診断支援装置１のＣＰＵ１０は、磁気ディスク１３から読み出した歯科医用画像情報４９及び歯牙位置情報５０及びカルテ情報１００に基づいて、画面７０をディスプレイ１９に表示する（ステップ２００１）。
画面７０には、画像７１及び電子カルテ情報７２が表示される。画像７１には歯牙等の画像を含む歯科医用画像情報１１１や歯牙枠１１２が表示される。電子カルテ情報７２には、日付１１３及び部位１１４及び処置１１５及び点数１１６が表示される。
【００２８】
（３−２．位置指定・範囲指定：ステップ２００２）
図１２は、座標情報８０を示す図である。
医用画像診断支援装置１のＣＰＵ１０は、画面７０の画像７１における歯牙枠１１２の座標情報８０を主メモリ１４に保持する。座標情報８０には、歯牙枠１１２の歯番８１毎に４点座標８２が記録される。
操作者がマウス１６によって画面７０の画像７１上において位置指定あるいは範囲指定を行うと、医用画像診断支援装置１のＣＰＵ１０は位置指定あるいは範囲指定された座標を主メモリ１４に保持する（ステップ２００２）。
【００２９】
（３−３．部位情報取得：ステップ２００３）
図１３は、部位情報取得（ステップ２００３）における医用画像診断支援装置１の動作を示すフローチャートである。
操作者が歯牙枠１１２の内側で１点クリックを行った場合（ステップ２０２１の「１点クリック」）、医用画像診断支援装置１のＣＰＵ１０は、１歯番選択処理を実行する（ステップ２０２２）。操作者が歯牙枠１１２に対してドラッグ＆ドロップ操作を行った場合（ステップ２０２１の「ドラッグ＆ドロップ」）、ＣＰＵ１０は、範囲指定モードであるか否かを判定する（ステップ２０２３）。
【００３０】
ＣＰＵ１０は、歯牙枠１１２の内側を開始点（起点）にしてドラッグ＆ドロップ操作が行われた場合には、範囲指定モードではないと判定し（ステップ２０２３のＮＯ）、複数歯番選択処理を実行する（ステップ２０２４）。ＣＰＵ１０は、歯牙枠１１２の外側を開始点（起点）にしてドラッグ＆ドロップ操作が行われた場合には、範囲指定モードであると判定し（ステップ２０２３のＹＥＳ）、複数範囲選択処理を実行する（ステップ２０２５）。
ＣＰＵ１０は、１歯番選択処理（ステップ２０２２）または複数歯番選択処理（ステップ２０２４）または複数範囲選択処理（ステップ２０２５）において、選択された歯牙についての部位情報７３を取得して主メモリ１４に保持する（ステップ２００３）。部位情報７３の取得については後述する。
【００３１】
（３−３−１．１歯番選択処理：ステップ２０２２）
図１４は、１歯番選択処理（ステップ２０２２）を示すフローチャートである。
図１５は、画面７０に表示される画像１２０を示す図である。
操作者が歯牙枠１２１の内側をマウス１６によって１点クリックを行うと、医用画像診断支援装置１のＣＰＵ１０は、１点クリックされた座標を主メモリ１４に保持する。ＣＰＵ１０は、１点クリックされた座標を主メモリ１４から読み出す（ステップ３００１）。ＣＰＵ１０は、歯牙枠カウンタｉを初期化する（ステップ３００２）。
【００３２】
ＣＰＵ１０は、ｉ番目の歯牙枠（ｉ）の内側に１点クリックされた座標が含まれない場合（ステップ３００３のＮＯ）、ステップ３００９に処理を移行する。
ＣＰＵ１０は、ｉ番目の歯牙枠（ｉ）の内側に１点クリックされた座標が含まれる場合（ステップ３００３のＹＥＳ）、当該歯牙枠（ｉ）の部位情報７３及び歯牙情報９０を取得する（ステップ３００４及びステップ３００５）。部位情報７３は歯番や歯式等の歯牙の部位に関する情報である。ＣＰＵ１０は、主メモリ１４に保持された座標情報８０の歯番８１に基づいて部位情報７３を取得する。歯牙情報９０は、歯種（前歯、小臼歯、大臼歯）、根管数、支台歯、欠損歯に関する情報である。ＣＰＵ１０は、磁気ディスク１３に歯牙情報９０の一部あるいは全てがない場合には、標準値を初期値として設定する。
【００３３】
ＣＰＵ１０は、ｉ番目の歯牙枠（ｉ）が選択済でない場合には当該歯牙枠（ｉ）を選択状態に設定し（ステップ３００６のＮＯ及びステップ３００７）、選択済である場合には当該歯牙枠（ｉ）の選択状態を解除する（ステップ３００６のＹＥＳ及びステップ３００８）。ＣＰＵ１０は、歯牙枠カウンタｉが歯牙枠総数に達していない場合には（ステップ３００９のＮＯ）、歯牙枠カウンタｉを増加させて（ステップ３０１０）、ステップ３００３からの処理を繰り返す。
ＣＰＵ１０は、選択状態の歯牙枠１２１や歯番１２２について特定色表示や強調表示を行って選択状態であることを識別可能に表示する。
【００３４】
（３−３−２．複数歯番選択処理：ステップ２０２４）
図１６は、複数歯番選択処理（ステップ２０２４）を示すフローチャートである。
図１７は、画面７０に表示される画像１３０を示す図である。
操作者が歯牙枠１３１の内側の開始点１３５（起点）から歯牙枠１３２の内側を経て歯牙枠１３３の内側の終了点１３６（終点）までマウス１６によってドラッグ＆ドロップ操作を行うと、医用画像診断支援装置１のＣＰＵ１０は、ドラッグ＆ドロップされた開始点１３５から終了点１３６までの座標を主メモリ１４に保持する。ＣＰＵ１０は、ドラッグされた開始点１３５から終了点１３６までの座標を主メモリ１４から読み出す（ステップ４００１）。ＣＰＵ１０は、歯牙枠カウンタｉを初期化する（ステップ４００２）。
【００３５】
ＣＰＵ１０は、ｉ番目の歯牙枠（ｉ）の内側にドラッグ＆ドロップされた開始点１３５から終了点１３６までの座標のいずれも含まれない場合（ステップ４００３のＮＯ）、ステップ４００９に処理を移行する。
ＣＰＵ１０は、ｉ番目の歯牙枠（ｉ）の内側にドラッグ＆ドロップされた開始点１３５から終了点１３６までの座標のいずれかが含まれる場合（ステップ４００３のＹＥＳ）、当該歯牙枠（ｉ）の部位情報７３及び歯牙情報９０を取得する（ステップ４００４及びステップ４００５）。
【００３６】
ステップ４００６〜ステップ４０１０の処理は、図１４のステップ３００６〜ステップ３０１０の処理と同様であるので説明を省略する。
ＣＰＵ１０は、選択状態の複数の歯牙枠１３１〜歯牙枠１３３及び複数の歯番１３４について特定色表示や強調表示を行って選択状態であることを識別可能に表示する。
【００３７】
（３−３−３．複数範囲選択処理：ステップ２０２５）
図１８は、複数範囲選択処理（ステップ２０２５）を示すフローチャートである。
図１９は、画面７０に表示される画像１４０を示す図である。
操作者が歯牙枠の外側の開始点１４１（起点）から終了点１４２（終点）までマウス１６によってドラッグ＆ドロップ操作を行うと、医用画像診断支援装置１のＣＰＵ１０は、ドラッグ＆ドロップされた開始点１４１の座標と終了点１４２の座標を主メモリ１４に保持す。ＣＰＵ１０は、ドラッグされた開始点１４１の座標と終了点１４２の座標を主メモリ１４から読み出す（ステップ５００１）。ＣＰＵ１０は、歯牙枠カウンタｉを初期化する（ステップ５００２）。
【００３８】
ＣＰＵ１０は、開始点１４１及び終了点１４２によって範囲指定された領域１４３を設定する。領域１４３は、例えば、開始点１４１及び終了点１４２を対角頂点とする長方形領域である。
ＣＰＵ１０は、ｉ番目の歯牙枠（ｉ）が領域１４３内に収まらない場合（ステップ５００３のＮＯ）、ステップ５００９に処理を移行する。
ＣＰＵ１０は、ｉ番目の歯牙枠（ｉ）が領域１４３内に収まる場合（ステップ５００３のＹＥＳ）、当該歯牙枠（ｉ）の部位情報７３及び歯牙情報９０を取得する（ステップ５００４及びステップ５００５）。
【００３９】
ステップ５００６〜ステップ５０１０の処理は、図１４のステップ３００６〜ステップ３０１０の処理と同様であるので説明を省略する。
ＣＰＵ１０は、選択状態の複数の歯牙枠１４５〜歯牙枠１４７及び複数の歯番１４４について特定色表示や強調表示を行って選択状態であることを識別可能に表示する。
【００４０】
（３−４．歯牙情報設定：ステップ２００４）
図２０は、歯牙情報９０を示す図である。
歯牙情報９０は、歯番９１、歯種９２（前歯、小臼歯、大臼歯）、根管数９３、支台歯９４、欠損歯９５が対応付けられて記録される。
【００４１】
図２１は、歯牙情報設定時の画面１５０を示す図である。
図２２は、歯牙情報設定メニュー１６０を示す図である。
マウス１６を操作して画面１５０の歯牙枠１５１を選択状態とし、そのまま所定操作（例えば、マウス１６による右クリック操作）を行うと、歯牙情報設定メニュー１５２が表示される。尚、図２２に示すように階層構造の歯牙情報設定メニュー１６０を表示させるようにしてもよい。歯牙情報設定メニュー１５２には、磁気ディスク１３あるいは主メモリ１４に保持される歯牙情報９０に基づいて、初期値が設定されている。磁気ディスク１３及び主メモリ１４に歯牙情報９０の一部あるいは全てがない場合には、標準値が初期値として設定される。
操作者が歯牙情報設定メニュー１５２から設定値を選択あるいは入力すると、医用画像診断支援装置１のＣＰＵ１０は、主メモリ１４の歯牙情報９０を更新する（ステップ２００４）。
【００４２】
（３−５．電子カルテ情報への部位情報転送及び電子カルテ情報表示：ステップ２００５及びステップ２００６）
図２３は、電子カルテ情報１７２が表示された画面１７０を示す図である。
医用画像診断支援装置１のＣＰＵ１０は、ステップ２００３の処理で取得した部位情報７３とステップ２００４の処理で更新した歯牙情報９０をメモリ１４から磁気ディスク１３に転送し、電子カルテ情報１００に反映する（ステップ２００５）。ＣＰＵ１０は、選択された歯牙に関する部位情報７３や入力された歯牙情報９０が反映された電子カルテ情報１７２を画面１７０に表示する。図２３の電子カルテ情報１７２には処置を行った歯牙を示す部位情報１７３が表示される
【００４３】
（４．効果等）
以上の過程を経て、医用画像診断支援装置１は、磁気ディスク１３から歯科医用画像情報４９及び歯牙位置情報５０及び電子カルテ情報１００を取得して、画面７０に画像７１及び電子カルテ情報７２を表示する。操作者が画像７１において１つあるいは複数の歯牙を選択すると、医用画像診断支援装置１は、選択された歯牙についての部位情報７３を主メモリ１４を介して磁気ディスク１３の電子カルテ情報１００に転送し、画面７０の電子カルテ情報７２に反映して表示する。また、医用画像診断支援装置１は、画像７１上の歯牙の選択後にそのまま所定操作（例えば、マウスによる右クリック操作）が行われると、当該選択された歯牙に関する歯牙情報９０の入力を受け付ける。
【００４４】
本発明の実施形態では、歯科医用画像情報上で直接、歯牙の選択及び歯牙情報入力を行うことができる。また、歯牙の選択及び歯牙情報入力の際に、歯科医用画像情報から目線が離れることがないので、操作性及び正確性を向上させることができる。
【００４５】
以上、本発明に係る医用画像診断支援装置の好適な実施形態について説明したが、本発明はかかる例に限定されない。当業者であれば、本願で開示した技術的思想の範疇内において、各種の変更例または修正例に想到し得ることは明らかであり、それらについても当然に本発明の技術的範囲に属するものと了解される。
【図面の簡単な説明】
【００４６】
【図１】医用画像診断支援装置１のハードウェア構成図
【図２】歯牙位置情報の作成における医用画像診断支援装置１の動作を示すフローチャート
【図３】画像解析領域決定の説明図
【図４】歯端５５の算出を示す図
【図５】正中線５７の算出を示す図
【図６】歯外枠６０の決定を示す図
【図７】歯隙線６２の決定を示す図
【図８】歯科医用画像情報のサイズ変換を示す図
【図９】電子カルテ情報の部位入力における医用画像診断支援装置１の動作を示すフローチャート
【図１０】電子カルテ情報の部位入力における医用画像診断支援装置１の動作の流れを示す図
【図１１】ディスプレイ１９に表示される画面７０を示す図
【図１２】座標情報８０を示す図
【図１３】部位情報取得（ステップ２００３）における医用画像診断支援装置１の動作を示すフローチャート
【図１４】１歯番選択処理（ステップ２０２２）を示すフローチャート
【図１５】画面７０に表示される画像１２０を示す図
【図１６】複数歯番選択処理（ステップ２０２４）を示すフローチャート
【図１７】画面７０に表示される画像１３０を示す図
【図１８】複数範囲選択処理（ステップ２０２５）を示すフローチャート
【図１９】画面７０に表示される画像１４０を示す図
【図２０】歯牙情報９０を示す図
【図２１】歯牙情報設定時の画面１５０を示す図
【図２２】歯牙情報設定メニュー１６０を示す図
【図２３】電子カルテ情報１７２が表示された画面１７０を示す図
【符号の説明】
【００４７】
１………医用画像診断支援装置
１０………ＣＰＵ
１１………医用画像撮影装置
１２………ＬＡＮ
１３………磁気ディスク
１４………主メモリ
１５………コントローラ
１６………マウス
１７………キーボード
１８………表示メモリ
１９………ディスプレイ
２１、４０、４１、４２、４３、４４、４５、４６、４７、４８………歯科医用画像情報
２３………画像解析領域
５２、５４………濃度分布
５５………歯端
５７………正中線
６０………歯外枠
６２………歯隙線
６３、６４、６５、６６、６７………歯牙枠
７０、１７０………画面
７１………画像
７２、１７２………電子カルテ情報
７３………部位情報
８０………座標情報
９０………歯牙情報
１００………電子カルテ情報
１５２、１６０………歯牙情報設定メニュー
１７３………部位情報
【図１】
0005210616.tif 000002
【図２】
0005210616.tif 000003
【図３】
0005210616.tif 000004
【図４】
0005210616.tif 000005
【図５】
0005210616.tif 000006
【図６】
0005210616.tif 000007
【図７】
0005210616.tif 000008
【図８】
0005210616.tif 000009
【図９】
0005210616.tif 000010
【図１０】
0005210616.tif 000011
【図１１】
0005210616.tif 000012
【図１２】
0005210616.tif 000013
【図１３】
0005210616.tif 000014
【図１４】
0005210616.tif 000015
【図１５】
0005210616.tif 000016
【図１６】
0005210616.tif 000017
【図１７】
0005210616.tif 000018
【図１８】
0005210616.tif 000019
【図１９】
0005210616.tif 000020
【図２０】
0005210616.tif 000021
【図２１】
0005210616.tif 000022
【図２２】
0005210616.tif 000023
【図２３】
0005210616.tif 000024